(57)【要約】【課題】ユーザが現在使用しているラジオや、カセットプレーヤなどの音声再生装置にアラーム機能を付加することができるアラーム装置を提供する。【解決手段】ＣＤプレーヤ１００の音声出力端子１１０に接続するアラーム装置１０であって、時刻計測部２８と、アラーム計測部３０と、現在時刻がアラーム時刻に到達するとアラーム信号を出力し、この出力したアラーム信号をＣＤプレーヤ１００の音声に混合する混合部３２とを有する。【選択図】      図１
2005043283.tif 000002
【特許請求の範囲】
【請求項１】
ラジオ、カセットプレーヤ、ＣＤプレーヤ、ＣＤ−ＲＷプレーヤ、ＭＤプレーヤ、ＤＶＤプレーヤ、ＭＰＥＧプレーヤなどの音声再生装置のイヤホンジャック、ヘッドホンジャックなどの音声出力端子に接続するアラーム装置であって、
現在の時刻を計測する時刻計測手段と、
アラーム時刻を設定するアラーム設定手段と、
前記時刻計測手段により計測されている現在時刻が前記アラーム設定手段により設定されたアラーム時刻に到達するとアラーム信号を出力するアラーム計測手段と、
前記音声出力端子と接続されて前記音声出力端子から音声信号が入力され、前記アラーム計測手段からのアラーム信号が入力すると、前記入力する音声信号にアラーム音をミキシングさせて出力する混合手段と、
前記時刻計測手段により計測されている現在時刻と、前記アラーム設定手段により設定されたアラーム時刻とを表示する表示手段と、
前記混合手段からのアラーム音が混合された音声信号を出力するイヤホン、ヘッドホンなどの音声出力手段と、
を有する
ことを特徴とするアラーム装置。
【請求項２】
ラジオ、カセットプレーヤ、ＣＤプレーヤ、ＣＤ−ＲＷプレーヤ、ＭＤプレーヤ、ＤＶＤプレーヤ、ＭＰＥＧプレーヤなどの音声再生装置のイヤホンジャック、ヘッドホンジャックなどの音声出力端子に接続するアラーム装置であって、
現在の時刻を計測する時刻計測手段と、
アラーム時刻を設定するアラーム設定手段と、
前記時刻計測手段により計測されている現在時刻が前記アラーム設定手段により設定されたアラーム時刻に到達するとアラーム信号を出力するアラーム計測手段と、
前記音声出力端子と接続されて前記音声出力端子から音声信号が入力され、前記アラーム計測手段からのアラーム信号が入力すると、前記入力する音声信号にアラーム音をミキシングさせて出力する混合手段と、
前記時刻計測手段により計測されている現在時刻と、前記アラーム設定手段により設定されたアラーム時刻とを表示する表示手段と、
前記混合手段からのアラーム音が混合された音声信号を出力する音声出力端子と、
を有する
ことを特徴とするアラーム装置。
【請求項３】
外部の音声を集音するマイクと、前記マイクからの音声信号を録音する録音手段と、
前記録音手段に録音された音を再生する再生手段とを有し、
前記アラーム計測手段は、前記アラーム音として前記録音手段に録音された音声を用いる
ことを特徴とする請求項１または２記載のアラーム装置。
【請求項４】
前記アラーム装置の本体を振動させる振動手段を有し、
前記アラーム音と共に前記振動手段を振動させる
ことを特徴とする請求項１または２記載のアラーム装置。
【発明の詳細な説明】
【技術分野】
【０００１】
本発明は、ラジオ、カセットプレーヤ、ＣＤプレーヤなどの音声再生装置に接続して使用するアラーム装置に関するものである。
【背景技術】
【０００２】
従来より、携帯型のヘッドホンステレオに時計機能を設けることにより、その利便性を向上するものが提案されている（特許文献１）。
【０００３】
このヘッドホンステレオは、テープカセットを収容する携帯型ステレオ本体に有線ケーブルでヘッドホンを接続したものであり、携帯型ステレオ本体には、アラーム機能設定を行う操作キー群と、時計表示とを行う表示部と、アラーム設定時刻の検出を行うアラーム付時計機能部と、振動子を内蔵した振動パックと、アラームメッセージを音声合成して出力する音声合成部とを有するものである。
【０００４】
そして、予め操作キー群からアラーム時刻を設定しておき、時計機能部でアラーム時刻の到来が検出されると、アラームメッセージをヘッドホンより出力すると共に、振動パックを振動させてアラーム通知を行う。
【特許文献１】特開平１１−３２６５６２号公報
【発明の開示】
【発明が解決しようとする課題】
【０００５】
上記構成のヘッドホンステレオにおいては、必要な時刻にアラームの通知を受けることは可能であるが、この機能を持たせるためにはヘッドホンステレオ自身にその機能を内蔵しておく必要があり、ユーザはこのアラーム機能付のヘッドホンステレオを購入する必要がある。
【０００６】
そのため、ユーザが現在使用しているヘッドホンステレオにこのアラーム機能を付加することはできないという問題点がある。
【０００７】
そこで本発明は、上記問題点に鑑み、ユーザが現在使用しているラジオや、カセットプレーヤ（ヘッドホンステレオを含む）などの音声再生装置にアラーム機能を付加することができるアラーム装置を提供するものである。
【課題を解決するための手段】
【０００８】
請求項１の発明は、ラジオ、カセットプレーヤ、ＣＤプレーヤ、ＣＤ−ＲＷプレーヤ、ＭＤプレーヤ、ＤＶＤプレーヤ、ＭＰＥＧプレーヤなどの音声再生装置のイヤホンジャック、ヘッドホンジャックなどの音声出力端子に接続するアラーム装置であって、現在の時刻を計測する時刻計測手段と、アラーム時刻を設定するアラーム設定手段と、前記時刻計測手段により計測されている現在時刻が前記アラーム設定手段により設定されたアラーム時刻に到達するとアラーム信号を出力するアラーム計測手段と、前記音声出力端子と接続されて前記音声出力端子から音声信号が入力され、前記アラーム計測手段からのアラーム信号が入力すると、前記入力する音声信号にアラーム音をミキシングさせて出力する混合手段と、前記時刻計測手段により計測されている現在時刻と、前記アラーム設定手段により設定されたアラーム時刻とを表示する表示手段と、前記混合手段からのアラーム音が混合された音声信号を出力するイヤホン、ヘッドホンなどの音声出力手段と、を有することを特徴とするアラーム装置である。
【０００９】
請求項２の発明は、ラジオ、カセットプレーヤ、ＣＤプレーヤ、ＣＤ−ＲＷプレーヤ、ＭＤプレーヤ、ＤＶＤプレーヤ、ＭＰＥＧプレーヤなどの音声再生装置のイヤホンジャック、ヘッドホンジャックなどの音声出力端子に接続するアラーム装置であって、現在の時刻を計測する時刻計測手段と、アラーム時刻を設定するアラーム設定手段と、前記時刻計測手段により計測されている現在時刻が前記アラーム設定手段により設定されたアラーム時刻に到達するとアラーム信号を出力するアラーム計測手段と、前記音声出力端子と接続されて前記音声出力端子から音声信号が入力され、前記アラーム計測手段からのアラーム信号が入力すると、前記入力する音声信号にアラーム音をミキシングさせて出力する混合手段と、前記時刻計測手段により計測されている現在時刻と、前記アラーム設定手段により設定されたアラーム時刻とを表示する表示手段と、前記混合手段からのアラーム音が混合された音声信号を出力する音声出力端子と、を有することを特徴とするアラーム装置である。
【００１０】
請求項３の発明は、外部の音声を集音するマイクと、前記マイクからの音声信号を録音する録音手段と、前記録音手段に録音された音を再生する再生手段とを有し、前記アラーム計測手段は、前記アラーム音として前記録音手段に録音された音を用いることを特徴とする請求項１または２記載のアラーム装置である。
【００１１】
請求項３の発明は、前記アラーム装置の本体を振動させる振動手段を有し、前記アラーム音と共に前記振動手段を振動させることを特徴とする請求項１または２記載のアラーム装置である。
【発明の効果】
【００１２】
請求項１に係る発明のアラーム装置を使用する場合には、音声再生装置のイヤホンジャック、ヘッドホンジャックなどの音声出力端子に、例えば、コードを介して混合手段を接続する。
【００１３】
また、アラーム設定手段を用いて、ユーザが希望するアラーム時刻を設定する。
【００１４】
すると、アラーム計測手段が、時刻計測手段により計測されている現在時刻がアラーム設定手段により設定されたアラーム時刻に到達するとアラーム信号を混合手段に出力する。混合手段では、アラーム信号が入力すると音声出力端子から出力された音声信号にアラーム音をミキシングさせる。このアラーム音が混合された音声信号をイヤホン、ヘッドホンなどの音声出力手段に出力する。
【００１５】
これにより、音声再生装置を使用しているユーザは、イヤホンやヘッドホンなどの音声出力手段からアラーム音を聞くことができるため、ユーザは希望するアラーム時刻を簡単に知ることができる。
【００１６】
また、従来のように音声再生装置内部にアラーム機能を設ける必要がなく、本発明のアラーム装置を接続するだけで容易にこのアラーム機能を付加することができる。
【００１７】
請求項２に係る発明のアラーム装置を使用する場合には、音声再生装置のイヤホンジャック、ヘッドホンジャックなどの音声出力端子に、例えば、コードを介して混合手段を接続する。また、アラーム装置の音声出力端子に市販や付属のイヤホンやヘッドホンを接続する。
【００１８】
また、アラーム設定手段を用いて、ユーザが希望するアラーム時刻を設定する。
【００１９】
すると、アラーム計測手段が、時刻計測手段により計測されている現在時刻がアラーム設定手段により設定されたアラーム時刻に到達するとアラーム信号を混合手段に出力する。混合手段では、アラーム信号が入力すると音声出力端子から出力された音声信号にアラーム音をミキシングさせる。このアラーム音が混合された音声信号をイヤホン、ヘッドホンなどの音声出力手段に出力する。
【００２０】
これにより、音声再生装置を使用しているユーザは、イヤホンやヘッドホンなどの音声出力手段からアラーム音を聞くことができるため、ユーザは希望するアラーム時刻を簡単に知ることができる。
【００２１】
また、従来のように音声再生装置内部にアラーム機能を設ける必要がなく、本発明のアラーム装置を接続するだけで容易にこのアラーム機能を付加することができる。さらに、市販や付属のイヤホンやヘッドホンを利用できる。
【００２２】
請求項３に係る発明のアラーム装置においては、マイクから録音した音をアラーム音として用いることができるので、ユーザの好みに応じたアラーム音を選択することができる。また、通常の録音装置としても使用することができ、マイクから録音した音を再生手段で再生して音声出力手段によってユーザは聞くことができる。
【００２３】
請求項４に係る発明のアラーム装置であると、アラーム音と共に本体が振動するため、確実にアラーム時刻を知ることができる。
【発明を実施するための最良の形態】
【００２４】
（第１の実施形態）
本発明の第１の実施形態のアラーム装置１０について、図１から図３に基づいて説明する。
【００２５】
本実施形態のアラーム装置１０は、ＣＤプレーヤ１００に接続して使用するものである。
【００２６】
（１）アラーム装置１０の構成
このＣＤプレーヤ１００は、ステレオ型の音声出力端子とリモコン端子とを兼ねた出力端子１０２に、リモコン１０４のコード１０６の先端にあるコネクタ１０８が接続されている。そして、このリモコン１０４の先端部には、ヘッドホン端子である音声出力端子１１０が設けられている。
【００２７】
アラーム装置１０の本体１２の入力側から延びているコード１４の先端には音声入力コネクタ１６が設けられている。また、本体１２の出力側から延びているコード１８の先端にはステレオ用のヘッドホン２０が設けられている。
【００２８】
本体１２は、直方体をなし、その表面には液晶表示装置よりなる表示部２２と複数の操作スイッチよりなる操作部２４が設けられている。
【００２９】
表示部２２には、図２に示すように、その上段にアラーム時刻がデジタル表示され、その下部には現在時刻がデジタル表示される。
【００３０】
次に、このアラーム装置１０の電気的な構成について図３のブロック図に基づいて説明する。
【００３１】
アラーム装置１０を制御するためのＩＣチップよりなる制御部２６には、現在の時刻を計測するための時刻計測部２８と、操作部２４によって設定されたアラーム時刻に現在時刻が到達するとアラーム信号を出力するアラーム計測部３０とを有する。また、この設定されたアラーム時刻と現在時刻を表示部２２に対して表示するように制御している。
【００３２】
制御部２６から出力されたアラーム信号は混合部３２に入力する。この混合部３２では、ＣＤプレーヤ１００から出力されているステレオ音声に、アラーム音を合成、即ち混合して、ヘッドホン２０にアラーム音を出力する。なお、このアラーム信号によって出力されるアラーム音としては、電子音以外に、例えば「現在予定時刻です」、あるいは、「只今１０時１５分です」などでもよい。このアラーム音の音量は、ＣＤプレーヤ１００からの音量に関わらず一定にしてもよいし、ＣＤプレーヤ１００からの音声の音量に合わせて強弱をつけてもよい。
【００３３】
（２）アラーム装置１０の使用方法
上記構成のアラーム装置１０の使用方法について説明する。
【００３４】
ユーザが従来より所有しているＣＤプレーヤ１００のリモコン１０４の音声出力端子１１０にアラーム装置１０の音声入力コネクタ１６を接続する。
【００３５】
ユーザは、自分が希望するアラーム時刻を、表示部２２を見ながら操作部２４によって設定する。
【００３６】
通常の状態ではＣＤプレーヤ１００から出力されるステレオ音声（例えば、音楽）は、リモコン１０４の音声出力端子１１０から出力され音声入力コネクタ１６を経て、アラーム装置１０のヘッドホン２０から再生される。
【００３７】
この状態で、アラーム装置１０の時刻計測部２８が計測している現在時刻が、アラーム時刻に到達するとアラーム計測部３０がアラーム信号を混合部３２に出力する。すると、混合部３２では、そのアラーム信号に合わせてアラーム音をＣＤプレーヤ１００から出力されている音声に混合（ミキシング）をして、ヘッドホン２０から再生する。これによって、ユーザは自分の希望する時刻を知ることができる。
【００３８】
このアラーム音を停止させるには、ユーザは操作部２４を操作して停止させる。
【００３９】
上記構成のアラーム装置１０であると、従来からユーザが使用しているＣＤプレーヤ１００にアラーム装置１０を接続するだけで簡単にアラーム機能を付加することができる。そして、このアラーム機能で再生されたアラーム音がＣＤプレーヤ１００から流れている音声に混合されて出力することができる。
【００４０】
（第２の実施形態）
次に、第２の実施形態について図４に基づいて説明する。
【００４１】
本実施形態と第１の実施形態の異なる点は、アラーム装置１０の音声出力がステレオ型でなくモノラル型である点である。
【００４２】
例えば、ラジオ２００のモノラル型の音声出力端子２０２にアラーム装置１０の音声入力コネクタ１６を接続し、ラジオ２００の音を第１の実施形態のヘッドホン２０ではなく、モノラル再生型のイヤホン３４で再生する。
【００４３】
そして、アラーム時刻に到達すると、イヤホン３４からアラーム音とラジオの音とが同時に再生される。
【００４４】
（第３の実施形態）
第３の実施形態について図５及び図６に基づいて説明する。
【００４５】
第３の実施形態と第１の実施形態の異なる点は、アラーム装置１０に録音機能を設けた点にある。
【００４６】
図６のブロック図に示すように、アラーム装置１０の本体１２にマイク３６と録音部３８とメモリ４０を設ける。録音部３８は、マイク３６で集音した音をメモリ４０に記録（すなわち、録音）させ、その記録した音を再生する機能を有する。この録音部３８が制御部２６で制御される。
【００４７】
本体１２の表面には、図２で示すような表示部２２と操作部２４が設けられ、本体１２の裏面側には図５に示すようにクリップ４２が設けられている。
【００４８】
本体１２の側面には、録音操作部４４が設けられている。この録音操作部４４には、図５において左側から巻き戻しスイッチ４８、録音スイッチ５０、再生スイッチ５２、早送りスイッチ５４によって構成されている。
【００４９】
この第３の実施形態のアラーム装置１０の使用方法について説明する。
【００５０】
アラーム装置１０は、通常の録音装置としても使用することができ、録音操作部４４を用いて、マイク３６を通じて外部の音を録音部３８によってメモリ４０に録音できる。このメモリ４０に録音した音は、録音部３８で再生して制御部２６、混合部３２を介してヘッドホン２０から再生できる。
【００５１】
アラーム機能を動作させる場合には、アラーム音を、この録音部３８によって録音された音とすることができる。例えば、家族などの声を録音しておき、アラーム時刻が到達するとこの家族の声をＣＤプレーヤ１００からの音と共に再生して、ユーザに知らせるものである。
【００５２】
この第３の実施形態のアラーム装置１０であると、録音機能を付加できると共に、アラーム音をその録音した音で再生することができるので、より身近かにアラーム装置１０を使用することができる。
【００５３】
（第４の実施形態）
第４の実施形態について図７に基づいて説明する。
【００５４】
上記各実施形態では、アラーム装置１０の本体１２に音声出力手段であるヘッドホン２０やイヤホン３４が一体に接続されていたが、これに代えて、図７に示すように、本体１２に音声出力端子６０を設け、この音声出力端子に市販、または、ＣＤプレーヤ１００やラジオ２００の付属のヘッドホン７２やイヤホンの音声入力端子７０を接続してもよい。
【００５５】
これにより、付属のヘッドホン７２とＣＤプレーヤ２００との間にアラーム装置１０を接続するだけで、簡単にアラーム機能を付加できる。
【００５６】
（変更例）
本発明は上記実施形態に限らず、その主旨を逸脱しない限り種々変更することができる。
【００５７】
（１）変更例１
アラーム装置１０の本体１２内部にバイブレータ装置を内蔵して、アラーム時刻に到達するとそのバイブレータ装置をアラーム音と共に振動させてもよい。
【００５８】
（２）変更例２
アラーム音に加えて、毎正時（例えば、午後１時００分、午後２時００分）の時報の音を出力してもよい。
【００５９】
（３）変更例３
ユーザが操作部２４を操作すると、計測されている現在時刻を、その時刻を告げる音声信号に変換して出力してもよい。
【産業上の利用可能性】
【００６０】
本発明は、ＣＤプレーヤ、ラジオ、ＭＤプレーヤ、ＣＤ−ＲＷプレーヤ、ＤＶＤプレーヤ、ＭＰＥＧプレーヤなどの音声再生装置に接続して使用できるものである。なお、この例示した音声再生装置以外にも音声出力端子を有する携帯情報端末や携帯用のノートパソコンなどの電気機器でも使用することができる。
【図面の簡単な説明】
【００６１】
【図１】本発明の第１の実施形態を示すアラーム装置とＣＤプレーヤの斜視図である。
【図２】第１の実施形態のアラーム装置の平面図である。
【図３】第１の実施形態のアラーム装置のブロック図である。
【図４】第２の実施形態のアラーム装置をラジオに使用した場合の斜視図である。
【図５】第３の実施形態のアラーム装置の斜視図である。
【図６】第３の実施形態のアラーム装置のブロック図である。
【図７】第４の実施形態のアラーム装置の斜視図である。
【符号の説明】
【００６２】
１０  アラーム装置
１２  本体
１６  音声入力コネクタ
２０  ヘッドホン
２２  表示部
２４  操作部
２６  制御部
２８  時刻計測部
３０  アラーム計測部
３２  混合部
１００  ＣＤプレーヤ
１１０  音声出力端子
【図１】
2005043283.tif 000003
【図２】
2005043283.tif 000004
【図３】
2005043283.tif 000005
【図４】
2005043283.tif 000006
【図５】
2005043283.tif 000007
【図６】
2005043283.tif 000008
【図７】
2005043283.tif 000009